(57)【要約】【課題】  雨量が多い時でも帽子の縁部からそのまま雨水が滴り落ちることを防止し、雨水を任意の方向に、簡単、確実に導いて排水できるようにする。【解決手段】  防水性のシート片１で形成すると共に、帽子２の縁部２ａに着脱させるための取付具３を備える。帽子２から伝わり落ちる雨水を任意の方向に導いて流下させるため変形且つ変形姿勢を一時的に保持可能に形成する。取付具３は、洗濯ばさみ型のバネ式クリップであるのが好ましい。また本発明は、変形且つ変形姿勢を一時的に保持可能にするため、針金５を、例えば横縞状又は縦縞状に多数備えて形成するのが良い。【選択図】          図１
2005206982.tif 000002
【特許請求の範囲】
【請求項１】
防水性のシート片で形成されると共に、帽子の縁部に着脱させるための取付具を備え、しかも帽子から伝わり落ちる雨水を任意の方向に導いて流下させるため変形且つ変形姿勢を一時的に保持可能に形成されていることを特徴とする帽子取付用の雨水処理具。
【請求項２】
請求項１記載の帽子取付用の雨水処理具であって、取付具が、洗濯ばさみ型のバネ式クリップであることを特徴とする帽子取付用の雨水処理具。
【請求項３】
請求項１又は２記載の帽子取付用の雨水処理具であって、針金を横縞状又は縦縞状に多数備えて形成されていることを特徴とする帽子取付用の雨水処理具。
【発明の詳細な説明】
【技術分野】
【０００１】
本発明は、帽子取付用の雨水処理具に関し、更に詳しくは帽子の鍔（庇）などを介して伝わり落ちる雨水を、任意の方向に導いて流すことができるよう形成した帽子取付用の雨水処理具に関するものである。
【背景技術】
【０００２】
例えばゴルフのプレー中に雨が降ると、ゴルファーが打球体勢に入ってクラブを構えたとき、雨水が帽子の庇の先端の中央位置から滴り落ち、集中して打球できないことがある。
従来、この種の弊害を防止する帽子としては、例えばクラウン部を撥水性生地で作り、庇の中に、高吸水、高吸湿繊維を含む保水性生地を設けているものがある（例えば特許文献１参照）。
【０００３】
しかし従来品は、雨量が多いと庇で保水し切れず、その結果ゴルファーが打球体勢をとると、庇の先端の中央位置から雨水が真下に滴り落ちることを防止できなかった。
又従来品の場合は、庇に水が浸透し、庇が水をたっぷり含むことになるため、帽子を被り直す際に庇を摘むと手指が濡れ、染み出た水が手指を伝わって流れ落ちる、という不利益があった。
また従来、帽子の縁部に取り付けて使用する日除けはあるが（例えば特許文献２参照）、この種の従来品は首の日焼けを防止できるのに止まるものであった。即ち従来の日除けによっては、帽子から伝わり落ちる雨水を、任意の方向に導いて流すことができなかった。
【特許文献１】特開２００１−２０７３１９号公報
【特許文献２】特開平１０−１５８９１８号公報
【発明の開示】
【発明が解決しようとする課題】
【０００４】
本発明は、上記のような従来の問題点に鑑み、提案されたものである。
従って本発明の解決しようとする課題は、雨量が多い時でも帽子の縁部からそのまま雨水が滴り落ちることを防止でき、雨水を任意の方向に、簡単、確実に導いて排水できるようにし、例えばゴルファーがプレーに集中できるよう形成した帽子取付用の雨水処理具を提供することにある。
【課題を解決するための手段】
【０００５】
本発明は、上記の課題を解決するため、次のような技術的手段を採る。
即ち本発明は、図１等に示されるように、防水性のシート片１で形成されると共に、帽子２の縁部２ａに着脱させるための取付具３を備え、しかも帽子２から伝わり落ちる雨水を任意の方向に導いて流下させるため変形且つ変形姿勢を一時的に保持可能に形成されていることを特徴とする（請求項１）。
【０００６】
ここで、防水性のシート片１とは、雨水の流入や浸透を防ぐ薄い布や紙状のひときれを意味し、具体的にはビニールシートなどの樹脂シートや、表面を防水加工したシートを、縦、横、例えば十数センチメートル程度の大きさに形成することで実現される。シート片１の外形状は、任意である。帽子２としては、例えば野球帽や学生帽のようなキャップ形帽子のほか、登山帽のように周辺に鍔２ｂを有するハット形帽子がある。またここで、変形且つ変形姿勢を一時的に保持可能とは、例えば手指で外力を加えると簡単に任意の形を作ることができ、外力を取り去ってもその形を維持するよう形成されている、ということを意味する。具体的には、後述するように、針金５を備えて形成したり、シート片１それ自体をアルミ箔等の金属のシート材で形成することにより実現される。
【０００７】
また本発明の場合、取付具３は、洗濯ばさみ型のバネ式クリップであるのが好ましい（請求項２）。
なぜならこれによると、帽子２の縁部２ａに対する着脱操作を簡単化、迅速化でき、本発明品を帽子２に確実に取り付けることができるからである。取付具３は、シート片１に直接固定されたり、或いは紐などを介して連結されることにより備えられる。
【０００８】
また請求項１又は２記載の本発明の場合は、針金５を横縞状又は縦縞状に多数備えて形成されているのが好ましい（請求項３）。
なぜならこれによると、変形や変形姿勢の一時的な保持を、簡単に且つ低コストでできるからである。この場合、針金５は露出すると体裁が悪いため、シート片１に埋め込み、外部に露出しないよう設けられるのが良い。なお針金５は、断面が円形状のものには限られず、帯板状に形成されているのでも良い。
【発明の効果】
【０００９】
本発明は、上記のように構成されているから、これによれば雨量が多い時でも帽子の縁部からそのまま雨水が滴り落ちることを防止でき、雨水を任意の方向に、簡単、確実に導いて流すことができる。
従って本発明品を、例えばゴルフの際に帽子の鍔（庇）に取り付け、顔の側方に雨水を導いて流すようにすると、鍔の先端の中央位置から真下に雨水が流れ落ちることを防止できるから、この種の雨水がプレーに支障を来たすことを防止できる。
また本発明品は、手指で任意の形状に簡単に形作ることができるから、日除けとして利用する場合も、使い勝手が良くなるものである。
【発明を実施するための最良の形態】
【００１０】
以下、本発明の好適な一実施形態を、添付図面に従って説明する。
本発明品は、図１等に示されるように、防水性のシート片１で形成されると共に、野球帽等の帽子２の縁部２ａに着脱させるための取付具３を備えて形成されている。シート片１は、この実施形態では樹脂シートが重合されて、縦、横とも約１８ｃｍ程度の大きさに形成され、且つ先端部１ａ（下端部）の両側の角が丸くとられ、略舌片状に形成されている。取付具３は、この実施形態では洗濯ばさみ型のバネ式クリップで形成され、切れ目４（図３等参照）に一片３ａが差し込まれてシート片１の一方側（裏側）に接着され、また他片３ｂがシート片１の他方側（表側）に露出されることにより、シート片１に直接固定されている。シート片１は、この取付具３によって帽子２の鍔２ｂの先端の縁部２ａに取り付けられている。
【００１１】
また本発明品は、帽子２から伝わり落ちる雨水を任意の方向に導いて流下させるため変形且つ変形姿勢を一時的に保持可能に形成されている。この実施形態では、具体的には針金５を横縞状に多数備えて形成されている。針金５は、シート片１を形成する樹脂シートの間に、例えば１０ｍｍの間隔をあけて横縞状に配置され、シート片１に埋め込まれている。
【００１２】
次に本発明品の使用例を説明する。
使用者は、図１等に示されるように、本発明品を、庇状の鍔２ｂの例えば先端中央の縁部２ａに、シート片１の基端部１ｂ（上端部）を鍔２ｂの下側に配置して取付具３で取り付ける。次に使用者は、図２に示されるように、鍔２ｂを伝わり落ちる雨水を、シート片１の先端部１ａの両側の位置から排水できるよう、シート片１の両側縁１ｃを上側に手指で曲げて壁を作り、またシート片１の先端部１ａの中央位置を頂点にして両側が下り勾配になるよう山形に湾曲させる。
従ってこの実施形態の本発明の場合は、鍔２ｂから流れる雨水が、図１、図２に矢印で示されるように、シート片１の先端部１ａの両側に導かれ、この箇所から顔の両側方にバランス良く流れ落ちる。
【００１３】
以上の処において、本発明は、図４〜図６に示されるように、シート片１の基端部１ｂを鍔２ｂの上側に出して取付具３で鍔２ｂに取り付けても良い。この場合は、本発明品によって鍔２ｂの長さを長くでき、日除けとして利用することができる。また使用者は、図７に示されるように、本発明品を、帽子２の後側の縁部２ａの例えば長さ調節バンド６に取付具３で取り付けて使用するのでも良い。この場合は、帽子２を伝わり落ちる雨水を、シート片１の先端部１ａの例えば中央位置から落下させるよう、使用者は、図８に示されるように、シート片１の両側縁１ｃを、先端部１ａに向かって徐々に曲げて壁を作り、略Ｖ字状に形作って使用すると良い。
また本発明品は、図９、図１０に示されるように、シート片１の基端部１ｂを帽子２の表側に出して縁部２ａに取り付け、日除けとして利用することもできる。この場合は、首の日焼けを確実に防止できるよう、両側縁１ｃを、首を覆うように帽子２の湾曲形状に沿わせて形作るのが良い。
【図面の簡単な説明】
【００１４】
【図１】本発明品の好適な一実施形態を示す使用状態時の側面図である。
【図２】同上本発明品の使用状態時の平面図である。
【図３】図２のIII−III線における拡大断面図である。
【図４】本発明品の他の取付形態を示す使用状態時の側面図である。
【図５】図４の取付形態の平面図である。
【図６】図５のＶＩ−ＶＩ線における拡大断面図である。
【図７】本発明品の他の取付例を示す側面図である。
【図８】図７の取付例の背面図である。
【図９】本発明品の更に他の取付例を示す側面図である。
【図１０】図９の取付例の背面図である。
【符号の説明】
【００１５】
１    シート片
２    帽子
２ａ  縁部
３    取付具
【図１】
2005206982.tif 000003
【図２】
2005206982.tif 000004
【図３】
2005206982.tif 000005
【図４】
2005206982.tif 000006
【図５】
2005206982.tif 000007
【図６】
2005206982.tif 000008
【図７】
2005206982.tif 000009
【図８】
2005206982.tif 000010
【図９】
2005206982.tif 000011
【図１０】
2005206982.tif 000012